(57)【要約】【課題】耐久性を確保しながら、容易にコンクリート版を構築可能なコンクリート版構築方法を提供する。【解決手段】コンクリート版構築方法は、受桁１０に対し、巻き取り方向を受桁方向に合わせて、ロール体２０（巻き取られたロール型枠３０）を設置するロール型枠設置工程と、ロール型枠３０を受桁方向へ展開するロール型枠展開工程と、を備えている。このように、予め巻き取られたロール型枠３０、すなわちロール体２０を受桁１０上に設置して、当該ロール型枠３０を展開するだけの簡単な作業にて、受桁１０に対して下面側の型枠を設置することができる。また、ロール型枠３０は、シート部材３１、及び当該シート部材３１上において巻き取り方向へ並べられた複数の剛性線部材３２を備えている。コンクリート体３とロール型枠３０が一体化することで、コンクリート版１の耐久性も確保することができる。【選択図】図１
2018084120.tif 000002
【特許請求の範囲】
【請求項１】
シート部材、及び当該シート部材上において第１の方向へ並べられた複数の剛性線部材を備え、前記第１の方向へロール状に巻き取られたロール型枠を準備するロール型枠準備工程と、
受桁に対し、前記第１の方向を受桁方向に合わせて、巻き取られた前記ロール型枠を設置するロール型枠設置工程と、
前記ロール型枠を前記受桁方向へ展開するロール型枠展開工程と、
展開された前記ロール型枠に対して、前記受桁方向の両側及び受桁幅方向の両側に立ち上がるように設けられる側部型枠を設置する側部型枠設置工程と、
展開された前記ロール型枠、及び前記側部型枠で囲まれた空間にコンクリートを打設するコンクリート打設工程と、を備える、コンクリート版構築方法。
【請求項２】
前記コンクリート打設工程の前段階において、前記空間に鉄筋を設置する鉄筋設置工程を更に備える、請求項１に記載のコンクリート版構築方法。
【請求項３】
前記剛性線部材は、炭素繊維を含む、請求項１又は２に記載のコンクリート版構築方法。
【請求項４】
前記剛性線部材は、中空である、請求項１〜３の何れか一項に記載のコンクリート版構築方法。
【請求項５】
前記シート部材は可撓性を有する部材であり、
展開された前記ロール型枠は、平面視において湾曲する、請求項１〜４の何れか一項に記載のコンクリート版構築方法。
【請求項６】
前記剛性線部材は、前記第１の方向に対向する面が、傾斜している、請求項１〜５の何れか一項に記載のコンクリート版構築方法。
【発明の詳細な説明】
【技術分野】
【０００１】
本発明は、コンクリート版構築方法に関する。
【背景技術】
【０００２】
従来、受桁の上に型枠を複数設置し、当該型枠によって構築された空間内に、コンクリートを打設することによってコンクリート版を設けることが知られている（特許文献１参照）。下面側の型枠は、受桁の受桁方向に延びるように設けられ、受桁幅方向に対向する側部型枠が、下面側の型枠の両端部に設置されている。
【先行技術文献】
【特許文献】
【０００３】
【特許文献１】実開平９−２２１７０６号公報
【発明の概要】
【発明が解決しようとする課題】
【０００４】
しかしながら、上述のコンクリート版構築方法では、型枠を受桁上に設置する事に時間と手間がかかるという問題があった。また、容易に構築可能な構成を採用した場合は、十分なコンクリート版の耐久性を確保できないという問題があった。
【０００５】
本発明は、このような課題を解決するためになされたものであり、耐久性を確保しながら、容易にコンクリート版を構築可能なコンクリート版構築方法を提供する。
【課題を解決するための手段】
【０００６】
本発明に係るコンクリート版構築方法は、シート部材、及び当該シート部材上において第１の方向へ並べられた複数の剛性線部材を備え、第１の方向へロール状に巻き取られたロール型枠を準備するロール型枠準備工程と、受桁に対し、第１の方向を受桁方向に合わせて、巻き取られたロール型枠を設置するロール型枠設置工程と、ロール型枠を受桁方向へ展開するロール型枠展開工程と、展開されたロール型枠に対して、受桁方向の両側及び受桁幅方向の両側に立ち上がるように設けられる側部型枠を設置する側部型枠設置工程と、展開されたロール型枠、及び側部型枠で囲まれた空間にコンクリートを打設するコンクリート打設工程と、を備える。
【０００７】
本発明に係るコンクリート版構築方法は、受桁に対し、第１の方向を受桁方向に合わせて、巻き取られたロール型枠を設置するロール型枠設置工程と、ロール型枠を受桁方向へ展開するロール型枠展開工程と、を備えている。このように、予め巻き取られたロール型枠を受桁上に設置して、当該ロール型枠を展開するだけの簡単な作業にて、受桁に対して下面側の型枠を設置することができる。また、ロール型枠は、シート部材、及び当該シート部材上において第１の方向へ並べられた複数の剛性線部材を備えている。このように、ロール型枠は、巻き取り性を阻害しない方向において、剛性線部材で強化されているため、コンクリートとロール型枠が一体化することで、コンクリート版の耐久性も確保することができる。以上により、耐久性を確保しながら、容易にコンクリート版を構築可能である。
【０００８】
本発明に係るコンクリート版構築方法は、コンクリート打設工程の前段階において、空間に鉄筋を設置する鉄筋設置工程を更に備えてよい。このような構成により、コンクリート版の耐久性を更に向上できる。また、ロール型枠を用いることで、空間内には鉄筋の設置を阻害する構造物（例えば、垂直方向に立ち上がるリブなど）が存在していないため、予めユニット化された鉄筋を配置すればよい。このように、ロール型枠を用いることで、鉄筋を容易に設置することができる。
【０００９】
本発明に係るコンクリート版構築方法において、剛性線部材は、炭素繊維を含んでよい。このような構成により、ロール型枠を軽くすることで更に設置を容易に行えることに加え、十分な強度を確保することができる。
【００１０】
本発明に係るコンクリート版構築方法において、剛性線部材は、中空であってよい。このような構成により、剛性線部材の剛性を確保しつつ、ロール型枠の軽量化を図ることができる。
【００１１】
本発明に係るコンクリート版構築方法において、シート部材は可撓性を有する部材であり、展開されたロール型枠は、平面視において湾曲してよい。このような構造により、受桁の軌道が曲がる場合であっても、ロール型枠を受桁の形状に追従させることができる。
【００１２】
本発明に係るコンクリート版構築方法において、剛性線部材は、第１の方向に対向する面が、傾斜していてよい。このような構成により、ロール型枠を巻き取った時に、隣合う剛性線部材同士の干渉を回避することができる。これにより、巻き取り時のロール型枠をコンパクトにすることができる。
【発明の効果】
【００１３】
本発明によれば、耐久性を確保しながら、容易にコンクリート版を構築可能とする。
【図面の簡単な説明】
【００１４】
【図１】図１は、本発明の実施形態に係るコンクリート版構築方法の様子を模式的に示す斜視図である。
【図２】図２は、ロール型枠の構成を示す図である。
【図３】図３は、本発明の実施形態に係るコンクリート版構築方法手順を説明するための図である。
【図４】図４は、本発明の実施形態に係るコンクリート版構築方法手順を説明するための図である。
【図５】図５は、本発明の実施形態に係るコンクリート版構築方法手順を説明するための図である。
【図６】図６は、本発明の実施形態に係るコンクリート版構築方法手順を説明するための図である。
【図７】図７は、本発明の実施形態に係るコンクリート版構築方法手順を説明するための図である。
【図８】図８は、本発明の実施形態に係るコンクリート版構築方法手順を説明するための図である。
【発明を実施するための形態】
【００１５】
以下、本発明の実施形態について、図面を参照して詳細に説明する。なお、図面において、同一又は同等の要素には同じ符号を付し、重複する説明を省略する。
【００１６】
まず、図１を参照し、本実施形態に係るコンクリート版構築方法によって構築される構造体について説明する。図１に示すように、構造体１００の一例として、高架橋式道路が例示されている。このような構造体１００は、受桁１０と、当該受桁１０上に設置されたコンクリート版１と、を備えている。ここでは、コンクリート版１は、高架橋式道路の床版として構成されている。受桁１０は、所定方向に延びると共に、コンクリート版１を支える構造物である。なお、以降の説明では、受桁１０が延びる方向を「受桁方向」と称し、当該受桁方向と水平方向において直交する方向を「受桁幅方向」と称する。受桁１０は、受桁幅方向に互いに並べられると共に受桁方向に延びる主桁１１と、受桁幅方向に延びて主桁１１同士を連結する連結桁１２と、を備える。主桁１１及び連結桁１２は、それぞれＨ鋼材によって構成されている。本実施形態では三本の主桁１１が設けられており、受桁１０の受桁幅方向における両端部にそれぞれ一本の主桁１１が設けられ、受桁幅方向における中央位置に一本の主桁１１が設けられる。主桁１１の上側のフランジ部の上面は、コンクリート版１を受けるための受面１１ａとして構成される。
【００１７】
コンクリート版１は、受桁１０の受面１１ａに設置されるロール型枠３０と、鉄筋２と、コンクリート体３と、を備えている。ロール型枠３０は、コンクリート体３を打設する際の下面側の型枠として機能する部材である。ロール型枠３０は、型枠として機能すると共に、撤去されることなく、そのままコンクリート体３と共にコンクリート版１の一部として残存する。ロール型枠３０の構成の詳細については後述する。鉄筋２は、コンクリート体３の内部に配置される部材であり、鋼鉄製の複数の線材を受桁方向及び受桁幅方向へ網目状に配置することによって構成される。なお、この鉄筋２は、打設前にロール型枠３０上で組み立てられる必要はなく、予めユニット化されたものを、ロール型枠３０上へ配置すればよい。コンクリート体３は、ロール型枠３０及び当該ロール型枠３０に立設された側部型枠によって形成される空間内にコンクリートを打設することによって構成される。なお、受桁１０の受面１１ａからは、ジベルが突出するように設けられている。ジベルは、ロール型枠３０を貫通して当該ロール型枠３０よりも上方まで延びている。そして、ジベルがコンクリート体３内に埋め込まれるようにコンクリートが打設されることにより、受桁１０とコンクリート版１とが一体化する。
【００１８】
ロール型枠３０は、巻き取り方向（第１の方向）へロール状に巻き取り可能であると共に、当該ロール状に巻き取られた状態から、展開することが可能な部材である。なお、以降の説明においては、巻き取られた状態のロール型枠３０をロール体２０と称することとする。本実施形態では、ロール型枠３０は、巻き取り方向が受桁方向と一致するように、受桁１０上に設置される。よって、ロール型枠３０についての以降の説明は、受桁１０を基準とした方向に基づいて説明する。
【００１９】
図２（ａ）に示すように、ロール型枠３０は、平面状に広がるシート部材３１と、シート部材３１上に並べられた複数の剛性線部材３２と、を備える。シート部材３１は、受桁幅方向において一定の幅を有した状態で、受桁方向へ延びる。シート部材３１は、受桁幅方向において、受桁１０よりも大きい寸法を有していてよい。なお、後述のように、ロール型枠３０の受桁幅方向における両端部を上方へ屈曲させることで、側型枠としてもよい。また、シート部材３１は、受桁方向において、複数回に巻き取り可能な程度の長さを有していてよい。剛性線部材３２は、受桁幅方向に真っ直ぐに延びると共に、受桁方向へ一定の間隔でシート部材３１上に設けられる。一の剛性線部材３２と、受桁方向において隣り合う剛性線部材３２との間では、シート部材３１の上面が露出している。剛性線部材３２は、シート部材３１の受桁幅方向の一方の端部から他方の端部の全域にわたって設けられる。剛性線部材３２は、軽量化のために、中空であってよい。また、剛性線部材３２の断面形状は特に限定されないが、上方の辺が短辺となるような台形状の形状をなしてよい。この場合、剛性線部材３２の巻き取り方向（受桁方向）に対向する面３２ｂが傾斜する構成となる。これによって、ロール型枠３０を巻取りやすくなる。なお、ロール型枠３０を巻き取る際は、剛性線部材３２が内周側に配置されるように巻き取られる。
【００２０】
次に、ロール型枠３０の材質について説明する。剛性線部材３２は、炭素繊維を含んでもよい。炭素繊維を用いる場合、剛性線部材３２の繊維方向は受桁幅方向であってよい。なお、剛性線部材３２は、炭素繊維、ガラス繊維、セラミックス繊維、ボロン繊維、バサルト繊維等の無機繊維；チタン、スチール等の金属繊維；アラミド、ポリエステル、ポリエチレン、ナイロン、ビニロン、ポリアセタール、ＰＢО、高強度ポリプロピレン、ポリビニルアルコール繊維、ポリエチレンアルコール繊維、ポリエチレンテレフタレート繊維、等の有機繊維；から選択されるいずれかの繊維であるか、或いは、前記繊維を複数種含んでもよい。なお、剛性線部材３２の表面（少なくとも上端面）３２ａは、コンクリート打設時に、コンクリート体３と一体化し易い構造とされてよい。例えば、剛性線部材３２の表面３２ａには、粗面化のための表面処理がなされていてよい。剛性線部材３２の表面３２ａには、凸凹形状が形成されていてよく、表面に硅砂等が散布されていてよい。シート部材３１は、受桁方向へ繊維方向を有するように、炭素繊維を含んでいてよい。また、シート部材３１は、敷設した後に通電や光によって硬化する材料を含んでいてよい。
【００２１】
図２（ｂ）に示すように、受桁１０が平面視において直線方向に対して湾曲するものである場合、シート部材３１は、当該受桁１０の受桁方向に対して可撓性を有していてよい。例えば、シート部材３１の内周側の縁部に比して、外周側の縁部が延びてよい。このように、展開されたロール型枠３０は、平面視において湾曲してよい。このように、ロール型枠３０を湾曲させるためのシート部材３１の材料として、スチレンブタジエン系、ニトリル系、エチレンプロピレン系などの合成ゴム類、ポリウレタンおよびポリウレアなどの合成樹脂類、塩化ビニルおよびポリオレフィンなどの熱可塑性樹脂類等が採用される。また、図２（ｂ）に示すように、シート部材３１の材質として、湾曲に対する内周側と外周側とで異なるものを採用してもよい。
【００２２】
次に、本実施形態に係るコンクリート版構築方法について説明する。コンクリート版構築方法は、ロール型枠準備工程と、ロール型枠設置工程と、ロール型枠展開工程と、側部型枠設置工程と、鉄筋設置工程と、コンクリート打設工程と、を備える。
【００２３】
ロール型枠準備工程は、巻き取り方向へロール状に巻き取られたロール型枠３０（すなわちロール体２０）を準備する工程である。この工程では、予め別の場所でロール型枠を製造すると共に、ロール状に巻き取られたロール体２０を、作業現場まで搬送することによって実行される。
【００２４】
ロール型枠設置工程は、受桁１０に対し、巻き取り方向を受桁方向に合わせて、ロール体２０（巻き取られたロール型枠）を設置する工程である。当該工程の前段階において、受桁１０に既設コンクリート版が存在していた場合は、当該既設床板を撤去して図３に示す状態とする、既設コンクリート版撤去工程が実行される。ロール型枠設置工程では、図４に示すように、受桁１０の受面１１ａ上にロール体２０が設置される。
【００２５】
ロール型枠展開工程は、ロール型枠３０を受桁方向へ展開する工程である。ロール型枠展開工程では、図４に示すように、ロール体２０を受桁１０の受面１１ａ上で受桁方向へ移動させることによって、展開されたロール型枠３０を順次受面１１ａ上に敷設する。なお、このとき、シート部材３１上の剛性線部材３２が上方を向くように、ロール型枠３０が設置される。例えば、ロール型枠展開工程を実行する際は、図１に示すようなウィンチ４０を用いてよい。ウィンチ４０は、ワイヤ４１と、ワイヤ４１に連結された接続部材４２と、接続部材４２に軸支された軸部４３と、連結されている。軸部４３は、ロール体２０の中心に挿通されている。従って、ウィンチ４０を受桁方向へ移動させることによって、ロール体２０が、ロール型枠３０を展開しながら、受桁方向へ移動する。この工程が完了することによって、図５に示すように、ロール体２０が無くなり、ロール型枠３０が完全に展開された状態となる。なお、本実施形態では、ロール型枠３０の受桁幅方向の両端部３０ａが、受桁１０の受桁幅方向における両端部よりも外側に配置される。
【００２６】
側部型枠設置工程は、展開されたロール型枠３０に対して、受桁方向の両側及び受桁幅方向の両側に立ち上がるように設けられる側部型枠３５，３６を設置する工程である。本実施形態では、図６に示すように、受桁幅方向に対向する側部型枠３５は、ロール型枠３０の受桁幅方向における両端部を屈曲させて立ち上げることによって構成される。ただし、側部型枠３５をロール型枠３０とは別体の部材を設けることによって構成してもよい。なお、受桁方向に対向する側部型枠３６を受桁方向における所定の位置に配置する。この側部型枠３６は、ロール型枠３０と別体の型枠を用いてよい。あるいは、ロール型枠３０自体を立ち上げることで側部型枠３６を構成してもよい。
【００２７】
鉄筋設置工程は、コンクリート打設工程の前段階において、空間に鉄筋２を設置する工程である。鉄筋設置工程では、図７に示すように、展開されたロール型枠３０の上面上に鉄筋２が配置される。このとき、ロール型枠３０の上面からはリブなどが立設されていない。従って、ロール型枠３０上で線材を組み合わせて鉄筋２を構築する必要はなく、予めユニット化されたものをロール型枠３０上に設置するだけでよい。
【００２８】
コンクリート打設工程は、展開されたロール型枠、及び端部型枠で囲まれた空間にコンクリートを打設する工程である。図８に示すように、この工程では、配置された鉄筋２を埋め殺した状態で、コンクリートが打設される。このとき、上方へ立ち上がる側部型枠３５に沿って、コンクリート版１の両端部が立ち上がる。以上により、本実施形態に係るコンクリート版構築方法が完了する。
【００２９】
次に、本実施形態に係るコンクリート版構築方法の作用・効果について説明する。
【００３０】
コンクリート版構築方法は、受桁１０に対し、巻き取り方向を受桁方向に合わせて、ロール体２０（巻き取られたロール型枠３０）を設置するロール型枠設置工程と、ロール型枠３０を受桁方向へ展開するロール型枠展開工程と、を備えている。このように、予め巻き取られたロール型枠３０、すなわちロール体２０を受桁１０上に設置して、当該ロール型枠３０を展開するだけの簡単な作業にて、受桁１０に対して下面側の型枠を設置することができる。また、ロール型枠３０は、シート部材３１、及び当該シート部材３１上において巻き取り方向へ並べられた複数の剛性線部材３２を備えている。このように、ロール型枠３０は、巻き取り性を阻害しない方向において、剛性線部材３２で強化されているため、コンクリート体３とロール型枠３０が一体化することで、コンクリート版１の耐久性も確保することができる。以上により、耐久性を確保しながら、容易にコンクリート版１を構築可能である。
【００３１】
コンクリート版構築方法は、コンクリート打設工程の前段階において、空間に鉄筋２を設置する鉄筋設置工程を更に備えている。このような構成により、コンクリート版１の耐久性を更に向上できる。また、ロール型枠３０を用いることで、空間内には鉄筋２の設置を阻害する構造物（例えば、垂直方向に立ち上がるリブなど）が存在していないため、予めユニット化された鉄筋２を配置すればよい。このように、ロール型枠３０を用いることで、鉄筋２を容易に設置することができる。
【００３２】
コンクリート版構築方法において、剛性線部材３２は、炭素繊維を含んでいる。このような構成により、ロール型枠３０を軽くすることで更に設置を容易に行えることに加え、十分な強度を確保することができる。
【００３３】
コンクリート版構築方法において、剛性線部材３２は、中空である。このような構成により、剛性線部材３２の剛性を確保しつつ、ロール型枠３０の軽量化を図ることができる。
【００３４】
コンクリート版構築方法において、シート部材３１は可撓性を有する部材であり、展開されたロール型枠３０は、受桁方向に対して湾曲する。このような構造により、受桁１０の軌道が曲がる場合であっても、ロール型枠３０を受桁１０の形状に追従させることができる。
【００３５】
コンクリート版構築方法において、剛性線部材３２は、巻き取り方向に対向する面３２ｂが、傾斜していている。このような構成により、ロール型枠３０を巻き取った時に、隣合う剛性線部材３２同士の干渉を回避することができる。これにより、巻き取り時のロール型枠３０をコンパクトにすることができる。
【００３６】
本発明は、上述の実施形態に限定されるものではない。
【００３７】
上述の実施形態では、コンクリート版構築方法が適用されるコンクリート版として高架橋式道路の床版が例示されたが、特に限定されず、強度が必要で面方向に広がるコンクリート版であれば、どのようなものに適用してもよい。例えば、屋根等に適用してもよい。また、高架橋でなく、建築物のスラブやデッキプレート等に適用してもよい。
【００３８】
また、コンクリート版を打設するための型枠全体の構成も、上述の実施形態に限定されない。例えば、受桁幅方向における中央位置に型枠が配置され、受桁上で受桁幅方向にコンクリート版が分割されたような構造であってもよい。
【符号の説明】
【００３９】
１…コンクリート版、２…鉄筋、１０…受桁、３０…ロール型枠、３１…シート部材、３２…剛性線部材、３５，３６…側部型枠、１００…構造体。
【図１】
2018084120.tif 000003
【図２】
2018084120.tif 000004
【図３】
2018084120.tif 000005
【図４】
2018084120.tif 000006
【図５】
2018084120.tif 000007
【図６】
2018084120.tif 000008
【図７】
2018084120.tif 000009
【図８】
2018084120.tif 000010